(57)【要約】【課題】本発明は手を暖めることができるスマホカバーを開示した。【解決手段】上カバーを含み、前記上カバーの右側には第一スマホ凹溝が設置され、前記第一スマホ凹溝の左端には断熱層が固定的に設置され、前記上カバーの頂端には回転チャンバが設置され、前記回転チャンバの底端には左方に開口した第一空きチャンバが設置され、本発明の手を暖めることができるスマホカバーの操作が簡単、便利且つ安全であり、加熱の効率が高い。同時に、本発明装置の機能が揃っており、加熱効果も著しく、適用できる場面も広く、実用性が高い。【選択図】図１
2020178328.tif 000002
【特許請求の範囲】
【請求項１】
上カバーを含み、前記上カバーの右側には第一スマホ凹溝が設置され、前記第一スマホ凹溝の左端には断熱層が固定的に設置され、前記上カバーの頂端には回転チャンバが設置され、前記回転チャンバの底端には左方に開口した第一空きチャンバが設置され、前記回転チャンバの頂端には駆動モータが固定的に設置され、前記駆動モータの底端には第一スプライン軸が動力が伝達できるように連結され、前記第一スプライン軸には第一円形ギヤが固定的に設置され、前記回転チャンバの頂端には第一回転軸が左右対称的に回転できるように設置され、前記第一回転軸の底端には第二円形ギヤが固定的に設置され、前記第二円形ギヤが前記第一円形ギヤと噛み合っており、前記回転チャンバの外周にはリングが回転できるように設置され、前記リングが前記回転チャンバの中に伸びており、前記リングの内側にはリングギヤが固定的に設置され、前記リングギヤが前記第二円形ギヤと噛み合っており、前記リングの底端には第一永久磁石が左右対称的に固定的に設置され、前記第一空きチャンバと前記回転チャンバとの間にはスプラインスリーブが回転できるように設置され、前記回転チャンバの中の前記スプラインスリーブには第二スプライン軸が伝動できるように連結され、前記第二スプライン軸が前記第一スプライン軸と噛み合え、前記第二スプライン軸には円盤が固定的に設置され、前記円盤と前記第二スプライン軸との間には第一ばねが連結され、前記円盤の外周には環状金属が設置され、前記環状金属が前記回転チャンバの外周端壁に密着し、前記回転チャンバの左端には上方に開口した第一スライド溝が設置され、前記第一スライド溝と前記回転チャンバとの間には連通溝が連通するように設置され、前記第一スライド溝の中には凸ロッドがスライドできるように設置され、前記凸ロッドが前記上カバーの頂端から張り出しており、前記凸ロッドと前記第一スライド溝の底面との間には第二ばねが固定的に連結され、前記凸ロッドの右端には前記連通溝の中でスライドする止め板が固定的に設置され、前記止め板が前記円盤の頂端に位置しており、前記連通溝の底端には第二永久磁石が固定的に設置され、前記第一空きチャンバの中の前記スプラインスリーブの末端には第一傘歯車が固定的に設置され、前記第一空きチャンバの左端にはフィルターが固定的に設置され、前記第一空きチャンバの右端には加熱網が固定的に設置され、前記加熱網と前記フィルターとの間には第二回転軸が回転できるように設置され、前記第二回転軸にはファン羽根と第二傘歯車とが固定的に設置され、前記第二傘歯車が前記第一傘歯車と噛み合っており、
従って、駆動モータがファン羽根を回転連動させ、凸ロッドがファン羽根の回転速度を制御し、スマホカバーは風に当たって快速に乾かさることと自身が発熱することとの間に切り換えることを特徴とする手を暖めることができるスマホカバー。
【請求項２】
前記加熱網の底端には押しスイッチが固定的に設置され、前記押しスイッチと前記加熱網には第一導線が連結され、前記押しスイッチの前端には前方に開口した第二空きチャンバが設置され、前記第二空きチャンバの中には押しボタンがスライドできるように設置され、前記押しボタンと前記第二空きチャンバの後端面との間には第三ばねが固定的に連結され、前記押しボタンの後端には推しロッドが固定的に連結され、前記推しロッドが前記押しスイッチを推すことができ、前記押しスイッチの左端には第二スライド溝が設置され、前記第二スライド溝の中にはスライドブロックがスライドできるように設置され、前記スライドブロックの左端の前記第二スライド溝の中には水銀が設置され、前記スライドブロックの右端には銅ブロックが固定的に設置され、前記押しスイッチと前記第二スライド溝との間には第二導線が連結され、前記第二スライド溝の底端には蓄電池が固定的に設置され、前記蓄電池と前記第二スライド溝との間には第三導線が連結され、
押しボタンを押し、第二動線と第一動線とを連通し、駆動モータと加熱網とを始動することを特徴とする請求項１に記載の手を暖めることができるスマホカバー。
【請求項３】
前記蓄電池の底端には下方に開口した差込口が設置され、前記上カバーの底端には下方に開口した第三スライド溝が前後対称的に設置され、前記第三スライド溝の中にはスライドロッドがスライドできるように設置され、前記スライドロッドと前記第三スライド溝の頂面との間には第四ばねが固定的に連結され、前記スライドロッドの底端にはボトム蓋が固定的に設置され、前記ボトム蓋の右端には第二スマホ凹溝が設置され、前記ボトム蓋の頂端には第一プラグが固定的に設置され、前記第二スマホ凹溝の底端には第二プラグが固定的に設置され、前記第二プラグと前記第一プラグとの間には第四導線が連結され、
第二プラグをスマホの充電口に差し込み、第一プラグを差込口に差し込み、蓄電池に給電することを特徴とする請求項１に記載の手を暖めることができるスマホカバー。
【発明の詳細な説明】
【技術分野】
【０００１】
本発明はスマホアクセサリー分野に関わり、具体的には手を暖めることができるスマホカバーである。
【背景技術】
【０００２】
冬にスマホを弄る時、弄る人の手が冷たい空気の中で露出され、文字を入力する効率が低くなり、体の調子も悪くなる。また、弄る人の手のひらには熱で汗が出ること又は手洗いすることで水分があり、そのため冬では手の温度がもっと下がりやすく、従って、手を暖めることができるスマホカバーを設計して上記の問題を解決する必要がある。
【先行技術文献】
【特許文献】
【０００３】
【特許文献１】中国特許出願公開第１０３９７３８４２号明細書
【発明の概要】
【発明が解決しようとする課題】
【０００４】
本発明が解決しようとする問題は手を暖めることができるスマホカバーを提供し、上記の既存技術問題を解消するのである。
【課題を解決するための手段】
【０００５】
本発明は以下の技術プランにより実現される：本発明の手を暖めることができるスマホカバーは、上カバーを含み、前記上カバーの右側には第一スマホ凹溝が設置され、前記第一スマホ凹溝の左端には断熱層が固定的に設置され、前記上カバーの頂端には回転チャンバが設置され、前記回転チャンバの底端には左方に開口した第一空きチャンバが設置され、前記回転チャンバの頂端には駆動モータが固定的に設置され、前記駆動モータの底端には第一スプライン軸が動力が伝達できるように連結され、前記第一スプライン軸には第一円形ギヤが固定的に設置され、前記回転チャンバの頂端には第一回転軸が左右対称的に回転できるように設置され、前記第一回転軸の底端には第二円形ギヤが固定的に設置され、前記第二円形ギヤが前記第一円形ギヤと噛み合っており、前記回転チャンバの外周にはリングが回転できるように設置され、前記リングが前記回転チャンバの中に伸びており、前記リングの内側にはリングギヤが固定的に設置され、前記リングギヤが前記第二円形ギヤと噛み合っており、前記リングの底端には第一永久磁石が左右対称的に固定的に設置され、前記第一空きチャンバと前記回転チャンバとの間にはスプラインスリーブが回転できるように設置され、前記回転チャンバの中の前記スプラインスリーブには第二スプライン軸が伝動できるように連結され、前記第二スプライン軸が前記第一スプライン軸と噛み合え、前記第二スプライン軸には円盤が固定的に設置され、前記円盤と前記第二スプライン軸との間には第一ばねが連結され、前記円盤の外周には環状金属が設置され、前記環状金属が前記回転チャンバの外周端壁に密着し、前記回転チャンバの左端には上方に開口した第一スライド溝が設置され、前記第一スライド溝と前記回転チャンバとの間には連通溝が連通するように設置され、前記第一スライド溝の中には凸ロッドがスライドできるように設置され、前記凸ロッドが前記上カバーの頂端から張り出しており、前記凸ロッドと前記第一スライド溝の底面との間には第二ばねが固定的に連結され、前記凸ロッドの右端には前記連通溝の中でスライドする止め板が固定的に設置され、前記止め板が前記円盤の頂端に位置しており、前記連通溝の底端には第二永久磁石が固定的に設置され、前記第一空きチャンバの中の前記スプラインスリーブの末端には第一傘歯車が固定的に設置され、前記第一空きチャンバの左端にはフィルターが固定的に設置され、前記第一空きチャンバの右端には加熱網が固定的に設置され、前記加熱網と前記フィルターとの間には第二回転軸が回転できるように設置され、前記第二回転軸にはファン羽根と第二傘歯車とが固定的に設置され、前記第二傘歯車が前記第一傘歯車と噛み合っている。
【０００６】
好ましくは、前記加熱網の底端には押しスイッチが固定的に設置され、前記押しスイッチと前記加熱網には第一導線が連結され、前記押しスイッチの前端には前方に開口した第二空きチャンバが設置され、前記第二空きチャンバの中には押しボタンがスライドできるように設置され、前記押しボタンと前記第二空きチャンバの後端面との間には第三ばねが固定的に連結され、前記押しボタンの後端には推しロッドが固定的に連結され、前記推しロッドが前記押しスイッチを推すことができ、前記押しスイッチの左端には第二スライド溝が設置され、前記第二スライド溝の中にはスライドブロックがスライドできるように設置され、前記スライドブロックの左端の前記第二スライド溝の中には水銀が設置され、前記スライドブロックの右端には銅ブロックが固定的に設置され、前記押しスイッチと前記第二スライド溝との間には第二導線が連結され、前記第二スライド溝の底端には蓄電池が固定的に設置され、前記蓄電池と前記第二スライド溝との間には第三導線が連結される。
【０００７】
好ましくは、前記蓄電池の底端には下方に開口した差込口が設置され、前記上カバーの底端には下方に開口した第三スライド溝が前後対称的に設置され、前記第三スライド溝の中にはスライドロッドがスライドできるように設置され、前記スライドロッドと前記第三スライド溝の頂面との間には第四ばねが固定的に連結され、前記スライドロッドの底端にはボトム蓋が固定的に設置され、前記ボトム蓋の右端には第二スマホ凹溝が設置され、前記ボトム蓋の頂端には第一プラグが固定的に設置され、前記第二スマホ凹溝の底端には第二プラグが固定的に設置され、前記第二プラグと前記第一プラグとの間には第四導線が連結される。
【発明の効果】
【０００８】
上記により、本発明の有益な効果：本発明の手を暖めることができるスマホカバーの操作が簡単、便利且つ安全であり、加熱の効率が高い。同時に、本発明装置の機能が揃っており、加熱効果も著しく、適用できる場面も広く、実用性が高い。
【図面の簡単な説明】
【０００９】
易しく説明できるため、本発明は下記の具体的な実施例と附図をもって詳しく紹介される。
【００１０】
【図１】図１は本発明の手を暖めることができるスマホカバーの全体構造模式図
【図２】図２は図１の中の左側面の構造模式図
【図３】図３は図１にあるＡの拡大構造模式図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
次に図１−３を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１３】
図１−３に示すように、本発明の手を暖めることができるスマホカバーは、上カバー１０を含み、前記上カバー１０の右側には第一スマホ凹溝３６が設置され、前記第一スマホ凹溝３６の左端には断熱層３５が固定的に設置され、前記上カバー１０の頂端には回転チャンバ１１が設置され、前記回転チャンバ１１の底端には左方に開口した第一空きチャンバ１３が設置され、前記回転チャンバ１１の頂端には駆動モータ６３が固定的に設置され、前記駆動モータ６３の底端には第一スプライン軸６２が動力が伝達できるように連結され、前記第一スプライン軸６２には第一円形ギヤ６１が固定的に設置され、前記回転チャンバ１１の頂端には第一回転軸４４が左右対称的に回転できるように設置され、前記第一回転軸４４の底端には第二円形ギヤ４９が固定的に設置され、前記第二円形ギヤ４９が前記第一円形ギヤ６１と噛み合っており、前記回転チャンバ１１の外周にはリング４６が回転できるように設置され、前記リング４６が前記回転チャンバ１１の中に伸びており、前記リング４６の内側にはリングギヤ４８が固定的に設置され、前記リングギヤ４８が前記第二円形ギヤ４９と噛み合っており、前記リング４６の底端には第一永久磁石４７が左右対称的に固定的に設置され、前記第一空きチャンバ１３と前記回転チャンバ１１との間にはスプラインスリーブ５８が回転できるように設置され、前記回転チャンバ１１の中の前記スプラインスリーブ５８には第二スプライン軸５９が伝動できるように連結され、前記第二スプライン軸５９が前記第一スプライン軸６２と噛み合え、前記第二スプライン軸５９には円盤５７が固定的に設置され、前記円盤５７と前記第二スプライン軸５９との間には第一ばね６０が連結され、前記円盤５７の外周には環状金属５６が設置され、前記環状金属５６が前記回転チャンバ１１の外周端壁に密着し、前記回転チャンバ１１の左端には上方に開口した第一スライド溝５１が設置され、前記第一スライド溝５１と前記回転チャンバ１１との間には連通溝５４が連通するように設置され、前記第一スライド溝５１の中には凸ロッド５０がスライドできるように設置され、前記凸ロッド５０が前記上カバー１０の頂端から張り出しており、前記凸ロッド５０と前記第一スライド溝５１の底面との間には第二ばね５２が固定的に連結され、前記凸ロッド５０の右端には前記連通溝５４の中でスライドする止め板５５が固定的に設置され、前記止め板５５が前記円盤５７の頂端に位置しており、前記連通溝５４の底端には第二永久磁石５３が固定的に設置され、前記第一空きチャンバ１３の中の前記スプラインスリーブ５８の末端には第一傘歯車１２が固定的に設置され、前記第一空きチャンバ１３の左端にはフィルター１４が固定的に設置され、前記第一空きチャンバ１３の右端には加熱網１８が固定的に設置され、前記加熱網１８と前記フィルター１４との間には第二回転軸１６が回転できるように設置され、前記第二回転軸１６にはファン羽根１５と第二傘歯車１７とが固定的に設置され、前記第二傘歯車１７が前記第一傘歯車１２と噛み合っている。
【００１４】
有益なように、前記加熱網１８の底端には押しスイッチ３２が固定的に設置され、前記押しスイッチ３２と前記加熱網１８には第一導線３４が連結され、前記押しスイッチ３２の前端には前方に開口した第二空きチャンバ４２が設置され、前記第二空きチャンバ４２の中には押しボタン４１がスライドできるように設置され、前記押しボタン４１と前記第二空きチャンバ４２の後端面との間には第三ばね４０が固定的に連結され、前記押しボタン４１の後端には推しロッド３３が固定的に連結され、前記推しロッド３３が前記押しスイッチ３２を推すことができ、前記押しスイッチ３２の左端には第二スライド溝２２が設置され、前記第二スライド溝２２の中にはスライドブロック２０がスライドできるように設置され、前記スライドブロック２０の左端の前記第二スライド溝２２の中には水銀１９が設置され、前記スライドブロック２０の右端には銅ブロック２１が固定的に設置され、前記押しスイッチ３２と前記第二スライド溝２２との間には第二導線３１が連結され、前記第二スライド溝２２の底端には蓄電池２３が固定的に設置され、前記蓄電池２３と前記第二スライド溝２２との間には第三導線３０が連結される。
【００１５】
有益なように、前記蓄電池２３の底端には下方に開口した差込口２４が設置され、前記上カバー１０の底端には下方に開口した第三スライド溝３７が前後対称的に設置され、前記第三スライド溝３７の中にはスライドロッド３９がスライドできるように設置され、前記スライドロッド３９と前記第三スライド溝３７の頂面との間には第四ばね３８が固定的に連結され、前記スライドロッド３９の底端にはボトム蓋２５が固定的に設置され、前記ボトム蓋２５の右端には第二スマホ凹溝２９が設置され、前記ボトム蓋２５の頂端には第一プラグ２６が固定的に設置され、前記第二スマホ凹溝２９の底端には第二プラグ２８が固定的に設置され、前記第二プラグ２８と前記第一プラグ２６との間には第四導線２７が連結される。
【００１６】
下記に、出願人は附図１−３及び上記の手を暖めることができるスマホカバーの具体的な構成を参考してその使用方法を詳しく紹介する：
【００１７】
まず、初期状態にある時、銅ブロック２１が第三導線３０と第二導線３１とを連通し、環状金属５６が第二永久磁石５３と接触している。
【００１８】
スマホカバーを使用して手を暖める前、スマホを第一スマホ凹溝３６の中に置き、ボトム蓋２５を上に推し動かし、第二プラグ２８をスマホの充電口に差し込み、第一プラグ２６も差込口２４に差し込み、蓄電池２３の中に電流が通っており、即ち加熱網１８が発熱して手を暖めることができる。
【００１９】
スマホカバーの背面全体を利用して手を暖める時、押しボタン４１を押し、押しボタン４１が推しロッド３３を連動させて押しスイッチ３２を推し、押しスイッチ３２が第一導線３４と第二導線３１とを連通し、加熱網１８が通電して発熱し、それと同時に駆動モータ６３が通電して始動され、駆動モータ６３が第一スプライン軸６２を回転連動させ、第一スプライン軸６２が第一円形ギヤ６１を回転連動させ、第一円形ギヤ６１が第二円形ギヤ４９により回転速度を減少してリング４６を回転連動させ、この時にリング４６が第一永久磁石４７を回転連動させ、第一永久磁石４７が円盤５７を回転連動させ、円盤５７が第二スプライン軸５９を回転連動させ、第二スプライン軸５９がスプラインスリーブ５８を回転連動させ、スプラインスリーブ５８が第一傘歯車１２を回転連動させ、第一傘歯車１２が加熱網１８を回転連動させ、加熱網１８がファン羽根１５を連動させてゆっくりと回転させ、この時にファン羽根１５が低速で回転してスマホカバー内部の熱を放散し、スマホカバー内の温度がファン羽根１５により放散された後の温度とバランスを取るまで積み重なる。
【００２０】
短時間に一定の方向で手を暖め又は乾かす時、凸ロッド５０を抜き出し、凸ロッド５０が止め板５５を連動させて上にスライドさせ、円盤５７が第一ばね６０の弾力により上にスライドし、円盤５７が第二スプライン軸５９を連動させて第一スプライン軸６２と噛み合わせ、この時に第一スプライン軸６２が直接に第二スプライン軸５９を回転連動させ、第二スプライン軸５９の回転速度が増え、即ちこの時にファン羽根１５が高速で回転し、それにより熱が直接に排出され、一定の方向に風を吹いて加熱する効果を取る。
【００２１】
スマホの背部が発熱し、熱が断熱層３５を透き通って上カバー１０の中まで上った時、上カバー１０の中の温度が上昇し、水銀１９が更に膨張し、膨張しすぎると、スライドブロック２０を連動させて右へ底端までスライドさせ、スライドブロック２０により銅ブロック２１が第一導線３１と第三導線３０と連結しなくなり、スマホカバーが自動的に電源を切り、過熱を防止する。
【００２２】
上記により、本発明の手を暖めることができるスマホカバーの操作が簡単、便利且つ安全であり、加熱の効率が高い。同時に、本発明装置の機能が揃っており、加熱効果も著しく、適用できる場面も広く、実用性が高い。
【００２３】
以上は、ただ発明の具体的な実施方式であり、発明の保護範囲はこれに限定されたものではなく、創造的な労働を通さなく想到できる全ての変化又は入れ替わりは、本発明の保護範囲の中に含むべきである。
【図１】
2020178328.tif 000003
【図２】
2020178328.tif 000004
【図３】
2020178328.tif 000005
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
上カバーを含み、前記上カバーの右側には第一スマホ凹溝が設置され、前記第一スマホ凹溝の左端には断熱層が固定的に設置され、前記上カバーの頂端には回転チャンバが設置され、前記回転チャンバの底端には左方に開口した第一空きチャンバが設置され、前記回転チャンバの頂端には駆動モータが固定的に設置され、前記駆動モータの底端には第一スプライン軸が動力が伝達できるように連結され、前記第一スプライン軸には第一円形ギヤが固定的に設置され、前記回転チャンバの頂端には第一回転軸が左右対称的に回転できるように設置され、前記第一回転軸の底端には第二円形ギヤが固定的に設置され、前記第二円形ギヤが前記第一円形ギヤと噛み合っており、前記回転チャンバの外周にはリングが回転できるように設置され、前記リングが前記回転チャンバの中に伸びており、前記リングの内側にはリングギヤが固定的に設置され、前記リングギヤが前記第二円形ギヤと噛み合っており、前記リングの底端には第一永久磁石が左右対称的に固定的に設置され、前記第一空きチャンバと前記回転チャンバとの間にはスプラインスリーブが回転できるように設置され、前記回転チャンバの中の前記スプラインスリーブには第二スプライン軸が伝動できるように連結され、前記第二スプライン軸が前記第一スプライン軸と噛み合え、前記第二スプライン軸には円盤が固定的に設置され、前記円盤と前記第二スプライン軸との間には第一ばねが連結され、前記円盤の外周には環状金属が設置され、前記環状金属が前記回転チャンバの外周端壁に密着し、前記回転チャンバの左端には上方に開口した第一スライド溝が設置され、前記第一スライド溝と前記回転チャンバとの間には連通溝が連通するように設置され、前記第一スライド溝の中には凸ロッドがスライドできるように設置され、前記凸ロッドが前記上カバーの頂端から張り出しており、前記凸ロッドと前記第一スライド溝の底面との間には第二ばねが固定的に連結され、前記凸ロッドの右端には前記連通溝の中でスライドする止め板が固定的に設置され、前記止め板が前記円盤の頂端に位置しており、前記連通溝の底端には第二永久磁石が固定的に設置され、前記第一空きチャンバの中の前記スプラインスリーブの末端には第一傘歯車が固定的に設置され、前記第一空きチャンバの左端にはフィルターが固定的に設置され、前記第一空きチャンバの右端には加熱網が固定的に設置され、前記加熱網と前記フィルターとの間には第二回転軸が回転できるように設置され、前記第二回転軸にはファン羽根と第二傘歯車とが固定的に設置され、前記第二傘歯車が前記第一傘歯車と噛み合っている手を暖めることができるスマホカバー。
【請求項２】
前記加熱網の底端には押しスイッチが固定的に設置され、前記押しスイッチと前記加熱網には第一導線が連結され、前記押しスイッチの前端には前方に開口した第二空きチャンバが設置され、前記第二空きチャンバの中には押しボタンがスライドできるように設置され、前記押しボタンと前記第二空きチャンバの後端面との間には第三ばねが固定的に連結され、前記押しボタンの後端には推しロッドが固定的に連結され、前記推しロッドが前記押しスイッチを推すことができ、前記押しスイッチの左端には第二スライド溝が設置され、前記第二スライド溝の中にはスライドブロックがスライドできるように設置され、前記スライドブロックの左端の前記第二スライド溝の中には水銀が設置され、前記スライドブロックの右端には銅ブロックが固定的に設置され、前記押しスイッチと前記第二スライド溝との間には第二導線が連結され、前記第二スライド溝の底端には蓄電池が固定的に設置され、前記蓄電池と前記第二スライド溝との間には第三導線が連結されていることを特徴とする請求項１に記載の手を暖めることができるスマホカバー。
【請求項３】
前記蓄電池の底端には下方に開口した差込口が設置され、前記上カバーの底端には下方に開口した第三スライド溝が前後対称的に設置され、前記第三スライド溝の中にはスライドロッドがスライドできるように設置され、前記スライドロッドと前記第三スライド溝の頂面との間には第四ばねが固定的に連結され、前記スライドロッドの底端にはボトム蓋が固定的に設置され、前記ボトム蓋の右端には第二スマホ凹溝が設置され、前記ボトム蓋の頂端には第一プラグが固定的に設置され、前記第二スマホ凹溝の底端には第二プラグが固定的に設置され、前記第二プラグと前記第一プラグとの間には第四導線が連結されていることを特徴とする請求項２に記載の手を暖めることができるスマホカバー。